(57)【要約】      （修正有）【課題】バリアブル印刷における不良印刷を適切に処理することができ、個人情報が含まれる印刷文書を確認する手間や労力、コストを削減することができる画像形成装置を提供する。【解決手段】全ての印刷で共通する第１種データと、印刷時前記第１種データに埋め込まれると共に刷部毎に異なる第２種データを、画像データに展開する第１展開部と、前記第１展開部とは異なる第２展開部と、前記第１展開部によって展開された画像データを記録媒体上に画像形成する画像形成部１と、前記画像形成部１で画像形成された記録媒体を封筒に封緘する封緘部８０と、記録媒体を撮像し撮像データを作成する撮像部５０とを有し、前記第２展開部によって展開された画像データと前記撮像部５０によって作成された撮像データとを比較することによって検査を行い、検査によって記録媒体に不良が発見されたときには前記封緘部８０で記録媒体の封緘を行わない。【選択図】図１
2009232006.tif 000002
【特許請求の範囲】
【請求項１】
印刷で共通する第１種データを蓄積する第１種データ記憶部と、
印刷時前記第１種データに埋め込まれると共に刷部毎に異なる第２種データを蓄積する第２種データ記憶部と、
前記第１種データ及び前記第２種データを画像データに展開する第１展開部と、
前記第１種データ及び前記第２種データを画像データに展開する、前記第１展開部とは異なる第２展開部と、
前記第１展開部によって展開された画像データを記録媒体上に画像形成する画像形成部と、
前記画像形成部で画像形成された記録媒体を封筒に封緘する封緘部と、
前記画像形成部と前記封緘部との間の記録媒体搬送経路に配され、記録媒体を撮像し撮像データを作成する撮像部と、
前記第２展開部によって展開された画像データと前記撮像部によって作成された撮像データとを比較することによって検査を行う検査部と、を有し、
前記検査部の検査によって記録媒体に不良が発見されたときには前記封緘部で記録媒体の封緘を行わないことを特徴とする画像形成装置。
【請求項２】
前記記録媒体搬送経路には搬送路切替部が設けられており、前記検査部の検査によって記録媒体に不良が発見されたときには、前記搬送路切替部を切り替えて記録媒体を裁断する裁断部に搬送することを特徴とする請求項１に記載の画像形成装置。
【請求項３】
前記記録媒体搬送経路には搬送路切替部が設けられており、前記検査部の検査によって記録媒体に不良が発見されたときには、前記搬送路切替部を切り替えて記録媒体を前記画像形成部に搬送することを特徴とする請求項１又は請求項２に記載の画像形成装置。
【請求項４】
前記検査部の検査によって記録媒体に不良が発見されたときに、前記画像形成部に搬送された記録媒体には重ねて画像形成されることを特徴とする請求項３に記載の画像形成装置。
【請求項５】
印刷で共通する第１種データを蓄積する第１種データ記憶部と、
印刷時前記第１種データに埋め込まれると共に刷部毎に異なる第２種データを蓄積する第２種データ記憶部と、
前記第１種データ及び前記第２種データを画像データに展開する第１展開部と、
前記第１種データ及び前記第２種データを画像データに展開する、前記第１展開部とは異なる第２展開部と、
前記第１展開部によって展開された画像データを記録媒体上に画像形成する画像形成部と、
前記画像形成部で画像形成された記録媒体を封筒に封緘する封緘部と、を有し、
前記画像形成部と前記封緘部との間の記録媒体搬送経路に配され、記録媒体を撮像し撮像データを作成する撮像部と、
前記第２展開部によって展開された画像データと前記撮像部によって作成された撮像データとを比較することによって検査を行う検査部と、を有する画像形成装置を制御する方法であって、
前記検査部の検査によって記録媒体に不良が発見されたときには前記封緘部で記録媒体の封緘を行わないように制御することを特徴とする画像形成装置の制御方法。
【請求項６】
前記記録媒体搬送経路には搬送路切替部が設けられており、前記検査部の検査によって記録媒体に不良が発見されたときには、前記搬送路切替部を切り替えて記録媒体を裁断する裁断部に搬送するように制御することを特徴とする請求項５に記載の画像形成装置の制御
方法。
【請求項７】
前記記録媒体搬送経路には搬送路切替部が設けられており、前記検査部の検査によって記録媒体に不良が発見されたときには、前記搬送路切替部を切り替えて記録媒体を前記画像形成部に搬送するように制御することを特徴とする請求項５又は請求項６に記載の画像形成装置の制御方法。
【請求項８】
前記検査部の検査によって記録媒体に不良が発見されたときに、前記画像形成部に搬送された記録媒体には重ねて画像形成されるように制御することを特徴とする請求項７に記載の画像形成装置の制御方法。
【発明の詳細な説明】
【技術分野】
【０００１】
本発明は、刷部毎に異なるデータであるバリアブルデータ（可変データ）を全ての印刷で共通するフォームデータなどの固定データ（共通データ）に埋め込むようにして印刷する、所謂バリアブル印刷を行う画像形成装置及びそのような画像形成装置の制御方法に関する。
【背景技術】
【０００２】
近年、大量のダイレクトメール、クレジットカードの請求書等の印刷を高速化するため、固定データ（共通データ）であるフォームデータを画像形成装置に予め登録し、印刷時に個人情報等のバリアブルデータ（可変データ）と登録した前記フォームデータとを合成して印刷するバリアブル印刷が利用されている。
【０００３】
上記のようなバリアブル印刷を行うものとしては、例えば、特許文献１（特開２００２−３４２０３９号公報）に、登録用の使用回数の多いデータ（以下、マスター・データと称す）と、前記マスター・データに関連付けられたデータを含む可変のデータ（以下、バリアブル・データと称す）を処理し、前記マスター・データと前記バリアブル・データに基づいて出力することが可能な出力装置、該出力装置と双方向通信回線を介して接続されるホスト・コンピュータと出力サーバーを備える出力システムであって、前記出力サーバーは、前記ホスト・コンピュータから前記マスター・データを受信して解析し、そして展開して保存するマスター・データ解析手段、前記解析手段で展開した展開後のマスター・データと該マスター・データそれぞれについての前記出力装置へ送信を含む管理情報を管理し、及び前記双方向通信回線を介して接続されている全出力装置の仕様・性能に関する情報を入手して管理する管理手段、前記管理手段からの情報に応じて、前記展開後のマスター・データを保持すべき出力装置を決定する第１の決定手段、前記第１の決定手段で決定した出力装置に対して、前記展開後のマスター・データを含む情報を出力する第１の出力手段を備え、前記出力装置は、前記出力サーバーから受けたマスター・データを含む情報に基づいて、受けたマスター・データを内部記憶装置に登録する登録手段を備えることを特徴とする出力システが開示されている。
【特許文献１】特開２００２−３４２０３９号公報
【発明の開示】
【発明が解決しようとする課題】
【０００４】
ところで、特許文献１に記載されているバリアブル印刷を行い得る画像形成装置では、例えば、案内状などを印刷する際、客の氏名などあて先ごとに異なる部分（第二の画像部）と会場などすべてのあて先で同じ部分（第一の画像部）とが存在することとなるわけであるが、第二の画像部には人名漢字など文字コードの中で完全に共通化されていない情報が含まれていることがあり、画像形成装置に搭載されている文字コードデータの種類によって、印刷できなかったり、誤った文字が印刷されてしまったりする場合があった。また、例えば住所などの情報は文字数が極端に多く、予定されている範囲からはみ出てしまうこともある。これらの不良は従来、印刷してから一部一部全ての刷部を目視で確認していたが、手間がかかる上に住所など個人情報が含まれた不良文書は、別途まとめて裁断処理などをする必要があり、コストと労力を要する、という問題があった。
【０００５】
ところで、従来印刷された印刷物の良・不良の判定においては、見本となる画像情報を用意しておき、それと印刷物とを比較して良・不良を判定していた。ところが、このような従来のものは、同じものを何枚も印刷することを前提としており、一枚見本刷りを作成してその情報を所定の検査装置に入力し、それと比較して良・不良を判定していた。
しかし、最近普及してきた、上記のような一部ずつ異なる内容の印刷を行う可変印刷（バリアブル印刷）では、一枚一枚画像の内容が異なるため、見本となる画像を印刷することができないために、この方法を取ることができない、という問題もあった。
【課題を解決するための手段】
【０００６】
本発明は上記課題を解決するためのもので、本発明に係る画像形成装置は、印刷で共通する第１種データを蓄積する第１種データ記憶部と、印刷時前記第１種データに埋め込まれると共に刷部毎に異なる第２種データを蓄積する第２種データ記憶部と、前記第１種データ及び前記第２種データを画像データに展開する第１展開部と、前記第１種データ及び前記第２種データを画像データに展開する、前記第１展開部とは異なる第２展開部と、前記第１展開部によって展開された画像データを記録媒体上に画像形成する画像形成部と、前記画像形成部で画像形成された記録媒体を封筒に封緘する封緘部と、前記画像形成部と前記封緘部との間の記録媒体搬送経路に配され、記録媒体を撮像し撮像データを作成する撮像部と、前記第２展開部によって展開された画像データと前記撮像部によって作成された撮像データとを比較することによって検査を行う検査部と、を有し、前記検査部の検査によって記録媒体に不良が発見されたときには前記封緘部で記録媒体の封緘を行わないことを特徴とする。
【０００７】
また、本発明に係る画像形成装置は、前記記録媒体搬送経路には搬送路切替部が設けられており、前記検査部の検査によって記録媒体に不良が発見されたときには、前記搬送路切替部を切り替えて記録媒体を裁断する裁断部に搬送することを特徴とする。
【０００８】
また、本発明に係る画像形成装置は、前記記録媒体搬送経路には搬送路切替部が設けられており、前記検査部の検査によって記録媒体に不良が発見されたときには、前記搬送路切替部を切り替えて記録媒体を前記画像形成部に搬送することを特徴とする。
【０００９】
また、本発明に係る画像形成装置は、前記検査部の検査によって記録媒体に不良が発見されたときに、前記画像形成部に搬送された記録媒体には重ねて画像形成されることを特徴とする。
【００１０】
また、本発明に係る画像形成装置の制御方法は、印刷で共通する第１種データを蓄積する第１種データ記憶部と、印刷時前記第１種データに埋め込まれると共に刷部毎に異なる第２種データを蓄積する第２種データ記憶部と、前記第１種データ及び前記第２種データを画像データに展開する第１展開部と、前記第１種データ及び前記第２種データを画像データに展開する、前記第１展開部とは異なる第２展開部と、前記第１展開部によって展開された画像データを記録媒体上に画像形成する画像形成部と、前記画像形成部で画像形成された記録媒体を封筒に封緘する封緘部と、前記画像形成部と前記封緘部との間の記録媒体搬送経路に配され、記録媒体を撮像し撮像データを作成する撮像部と、前記第２展開部によって展開された画像データと前記撮像部によって作成された撮像データとを比較することによって検査を行う検査部と、を有する画像形成装置を制御する方法であって、前記検査部の検査によって記録媒体に不良が発見されたときには前記封緘部で記録媒体の封緘を行わないように制御することを特徴とする。
【００１１】
また、本発明に係る画像形成装置の制御方法は、前記記録媒体搬送経路には搬送路切替部が設けられており、前記検査部の検査によって記録媒体に不良が発見されたときには、前記搬送路切替部を切り替えて記録媒体を裁断する裁断部に搬送するように制御することを特徴とする。
【００１２】
また、本発明に係る画像形成装置の制御方法は、前記記録媒体搬送経路には搬送路切替部が設けられており、前記検査部の検査によって記録媒体に不良が発見されたときには、
前記搬送路切替部を切り替えて記録媒体を前記画像形成部に搬送するように制御することを特徴とする。
【００１３】
また、本発明に係る画像形成装置の制御方法は、前記検査部の検査によって記録媒体に不良が発見されたときに、前記画像形成部に搬送された記録媒体には重ねて画像形成されるように制御することを特徴とする。
【００１４】
本発明の画像形成装置及び画像形成装置の制御方法によれば、バリアブル印刷における不良印刷を適切に処理することができ、個人情報が含まれる印刷文書を確認する手間や労力、コストを削減することができる。
【発明を実施するための最良の形態】
【００１５】
以下、本発明の実施の形態を図面を参照しつつ説明する。図１はバリアブル印刷を行う画像形成装置を構成する主要構成要素を示した図である。本実施形態においては、乾式の画像形成装置を例にとり説明するが、本発明の画像形成装置は、液体溶媒中に固体成分からなるトナーを分散させた高粘度の液体現像剤を用いて潜像を現像し、静電潜像を可視化する湿式画像形成装置であっても構わないし、またインクジェット方式などのその他の方式で画像形成を行う画像形成装置であっても構わない。
【００１６】
図１において、１００は画像形成装置、１は画像形成部、２は給紙部、３は一次転写部、４はプロセスカートリッジ、５は２次転写部、６は定着部、１０は給紙トレイ、５０は撮像部、６０は搬送路切替部、７０は裁断部、８０は封緘部、８１は封筒受けトレイ、Ｐは記録媒体、をそれぞれ示している。
【００１７】
画像形成部１は、プロセスカートリッジ４（４Ｙ、４Ｍ、４Ｃ、４Ｋ）により、１次転写部３において中間転写媒体上にカラートナー像を形成した後、さらに２次転写部５で給紙トレイ１０から供給された記録媒体に前記カラートナー像を転写し、さらに記録媒体を定着部６で加熱加圧することでカラートナー像を永久可視画像とする周知の構成となっている。
【００１８】
裁断部７０は周知のシュレッダー装置などであり、不良判定された記録媒体を裁断するものであり、封緘部８０は周知の封緘器で記録媒体を所定の封筒に封入した上で、封入口を留める機能を有する。
【００１９】
定着部６と前記封緘部８０との間の記録媒体の搬送経路上においては、前記画像形成部１によって記録媒体上に形成されたカラートナー像を観察できるように、撮像部５０が設置されている。
【００２０】
ここで、本発明の画像形成装置はバリアブル印刷を行うものであり、画像形成装置で印刷するデータの種類として第１種データ及び第２種データとを定義する。第１種データはフォームデータなどの固定データ（共通データ）であり、記憶される第２種データは個人情報などのバリアブルデータ（可変データ）である。
【００２１】
給紙部２における給紙トレイ１０からピックアップされた用紙は画像形成エンジンの２次転写部５で表面に、先の第１種データによる画像と第２種データによる画像を組み合わせたカラートナー像が転写され、定着部６でその画像が記録媒体上に定着される。その後も記録媒体は引き続き搬送され、表面の画像を前記撮像部５０で撮像される。撮像部５０は検査のために、撮影画像を撮像データとして作成する。
【００２２】
搬送路切替部６０は封緘部８０に記録媒体が搬入される直前に設けられており、ｕに示
すポジション、ｄに示すポジションの２つのポジション間の切り替えを可能とする。
【００２３】
なお、搬送経路には、図示はしていないが搬送のためのローラ対などの構成が適宜配されているものである。また、撮像部５０、搬送路切替部６０などの構成は、これらを制御するための上位の制御回路などと接続されており、上位の制御回路に撮像データを送出したり、上位の制御回路からの制御信号に基づいて動作したりするものである。
【００２４】
搬送路切替部６０が、ポジションｄをとっているときには、搬送される記録媒体は封緘部８０に送られ、ポジションｕをとっているときには、搬送される記録媒体は裁断部７０に送られるようになっている。
【００２５】
撮像部５０の撮像データによる検査の判定で、記録媒体上の画像が良品であると判定されると搬送路切替部６０はｄポジションをとり記録媒体を封緘部８０に送り、不良品であると判定されると搬送路切替部６０はｕポジションをとり記録媒体を裁断部７０に送る。
【００２６】
すなわち、検査の結果、記録媒体上に形成された画像が良品であるならば、搬送路切替部６０は実線の位置にとどまり、記録媒体は封緘部８０へと搬送される。封緘部８０では別途給送された封筒に記録媒体が挿入され、封筒の口が閉じられ、封筒受けトレイ８１に排出される。このように装置内で封筒に封入されることから、記録媒体上にプリントされた個人情報などが外部の人に見られることがない。
【００２７】
一方、撮像部５０の撮像データによる検査の結果が不良のときは、搬送路切替部６０が破線の位置に移動し、記録媒体を破線で示される方向へ搬送し、裁断部７０へ導く。こうして、印刷不良があっても、記録媒体上にプリントされた個人情報などは外部の人に見られずに済む。また、不良印刷を封入するために封筒が無駄に消費されることも無い。
【００２８】
以上のような構成によれば、バリアブル印刷における不良印刷を適切に処理することができ、個人情報が含まれる印刷文書を確認する手間や労力、コストを削減することができる。
【００２９】
次に、本発明の画像形成装置におけるバリアブル印刷及び良品・不良品判定処理を実行する際のデータの流れについて説明する。図２は本発明の実施の形態に係る画像形成装置におけるバリアブル印刷及び判定処理を実行するためのブロック構成を示す図である。図２において、１０１は第１種データ記憶部、１０２は第２種データ記憶部、１１０は第１展開部、１１５はページメモリ、４はプロセスカートリッジ、１２０は第２展開部、１２５は位置情報・比較情報記憶部、１３０は撮像データ、１３５は検査部、１５０は不良印刷処理部をそれぞれ示している。なお、図２に示すブロック図は、本発明に関連する処理のみのための構成のみを抜き出して示したものであり、画像形成装置１００全体の制御処理を示すものではない。
【００３０】
図２は画像形成装置における本発明に関連する制御系の構成を示すものである。第１種データ記憶部１０１に記憶される第１種データはフォームデータなどの固定データ（共通データ）であり、第２種データ記憶部１０２に記憶される第２種データは個人情報などのバリアブルデータ（可変データ）である。
第１展開部１１０及び第２展開部１２０は共に、第１種データ記憶部１０１、第２種データ記憶部１０２に記憶されるデータが入力されると、第１種データ及び第２種データをそれぞれ第１種画像データ及び第２種画像データに展開する。第１展開部１１０及び第２展開部１２０は互いに独立した構成となっている。
【００３１】
第１展開部１１０で展開された第１種画像データ及び第２種画像データは、ページメモ
リ１１５において、第１種画像データの中に第２種画像データを埋め込むようにして画像データを合成する。
【００３２】
ページメモリ１１５に展開された第１種画像データ及び第２種画像データとからなる合成画像データはプロセスカートリッジ４によって像担持体１０への書き込みが行われる。
【００３３】
第２展開部１２０によって展開された第１種画像データ及び第２種画像データは、位置情報・比較情報記憶部１２５に送信される。この位置情報・比較情報記憶部１２５においては、第１種画像データの中における第２種画像データの位置情報や、第２種画像データそのものの情報を比較情報として、検査部１３５に送出する。すなわち、検査部１３５には、第２種画像データの印刷画像中の位置データと第２種画像データの内容のデータが送られるわけである。
【００３４】
撮像データ１３０は撮像部５０によって撮像・作成された撮像データであり、検査部１３５ではこの撮像部５０からの撮像データと、第２種画像データとのその位置データを用いて、第２種画像データに基づく像の良、不良を判定する。
【００３５】
検査部１３５で、第２種画像データに基づく像の不良が判定されると、不良印刷処理部１５０に報知される。不良印刷処理部１５０は、搬送路切替部６０のポジションの切り替えを行い、良品と判定された記録媒体は封緘部８０に搬送し、不良品と判定された記録媒体は裁断部７０に搬送する。
【００３６】
なお、不良印刷処理部１５０による不良品の処理は記録媒体を裁断部７０に送出することに止まらず、その他の適当な方法をとることができる。不良印刷処理部１５０による不良記録媒体の処理については種々の実施形態があり得る。
【００３７】
なお、第１種データ記憶部１０１、第２種データ記憶部１０２、第２展開部１２０としては本発明の画像形成装置の上位に接続されるホストコンピュータ（不図示）の構成を援用することもできる。
【００３８】
以上のような構成によれば、バリアブル印刷における不良印刷を適切に処理することができ、個人情報が含まれる印刷文書を確認する手間や労力、コストを削減することができる。
【００３９】
次に本発明の他の実施形態について説明する。図３は本発明の他の実施形態に係る画像形成装置の構成例を示す図である。図３に示す実施形態は、図１に示す実施形態と、記録媒体搬送経路のレイアウトが異なっており、記録媒体搬送経路中に、第１搬送路切替部６１、第２搬送路切替部６２、第３搬送路切替部６３の３つの搬送路切替部が設けられている。
【００４０】
第１搬送路切替部６１はポジションｕ又はポジションｄの２つのポジション間の切り替えを行い、ポジションｕをとることで、記録媒体をｐ２方向に送出し、ポジションｄをとることで、記録媒体をｐ１方向に送出する。
【００４１】
第２搬送路切替部６２はポジションｕ又はポジションｄの２つのポジション間の切り替えを行い、ポジションｕをとることで、記録媒体をｑ２方向に送出し、ポジションｄをとることで、記録媒体をｑ１方向に送出する。
【００４２】
第３搬送路切替部６３はポジションｕ又はポジションｄの２つのポジション間の切り替えを行い、ポジションｕをとることで、記録媒体をｒ２方向に送出し、ポジションｄをと
ることで、記録媒体をｒ１方向に送出する。
【００４３】
図３において、画像形成装置１００は自動両面印刷用の記録媒体搬送経路を有しなるものである。両面印刷時には、給紙トレイ１０からピックアップされた記録媒体はその表面に画像を転写され、定着部６を通過した後、第１搬送路切替部６１（ポジションｄ状態）を通過し、撮像部５０による撮像データによって検査部１３５はその表面の画像の検査を行い、検査の結果良品であれば、記録媒体Ｐの先端がａに達したときに逆向きに搬送され始める。
【００４４】
記録媒体の後端が到達するまでに第２搬送路切替部６２がポジションｕをとり、破線の位置に移動し、記録媒体を破線で示される下向きの記録媒体搬送経路に導く。記録媒体はそのまま搬送され、再び画像形成部１の２次転写部５に導かれるが、今度はその裏面に画像の転写を受ける。記録媒体はそのまま搬送されて定着部６を再び通過して、撮像部５０による撮像データによって検査部１３５がその裏面の画像の検査が行われる。検査の結果が良品ならば、そのまま封緘器へと搬送される。
【００４５】
検査部１３５における検査結果が不合格の場合には、記録媒体の先端がａまで達した後、記録媒体は逆方向に搬送され始める。ｄポジションをとる第２搬送路切替部６２、同じくｄポジションをとる第１搬送路切替部６１を通過し、記録媒体の後端がｃに到達させる。次に再び記録媒体を順方向に搬送し、記録媒体の先端がｂまで到達する前に、第１搬送路切替部６１を破線で示される位置（ポジションｕ）へ移動する。順方向へ搬送される記録媒体は、ポジションｕの第１搬送路切替部６１に導かれて下方への破線の記録媒体搬送経路へ進む。記録媒体はそのまま搬送され、再び画像形成部２の２次転写部５に到達するが、記録媒体の表裏は反転されていないので、不良品画像の乗っている面に再び画像の転写を受ける。特に不良品画像中に個人情報など外部の人に見られては困る情報が含まれているときには、その部分に、その情報を印刷したのと同じ色の色材（トナーやインク）の塗りつぶし画像を印刷し、判読不能にする。
【００４６】
個人情報の部分を判定する方法としては、第２種データの画像部分を個人情報を含む部分として判定することができる。刷部ごとに異なる内容を含んでいる、第２種データの画像部分には個人情報が含まれると考えられるからである。この他ページ記述言語により個人情報と特定される部分を個人情報と判定することもできる。
【００４７】
なお、必要に応じて、第３搬送路切替部６３によって、良品画像の記録媒体を封緘部８０に送り、不良品画像の記録媒体を裁断部７０に送るようにしてもよい。
【００４８】
次に本発明の他の実施形態について説明する。図４は本発明の他の実施形態に係る画像形成装置の構成例を示す図である。図４に示す実施形態は、図１に示す実施形態と、記録媒体搬送経路のレイアウトが異なっており、記録媒体搬送経路中に、第１搬送路切替部６４、第２搬送路切替部６５、第３搬送路切替部６６の３つの搬送路切替部が設けられている。
【００４９】
第１搬送路切替部６４はポジションｕ又はポジションｄの２つのポジション間の切り替えを行い、ポジションｕをとることで、記録媒体をｐ２方向に送出し、ポジションｄをとることで、記録媒体をｐ１方向に送出する。
【００５０】
第２搬送路切替部６５はポジションｕ又はポジションｄの２つのポジション間の切り替えを行い、ポジションｕをとることで、記録媒体をｑ２方向に送出し、ポジションｄをとることで、記録媒体をｑ１方向に送出する。
【００５１】
第３搬送路切替部６６はポジションｕ又はポジションｄの２つのポジション間の切り替えを行い、ポジションｕをとることで、記録媒体をｒ２方向に送出し、ポジションｄをとることで、記録媒体をｒ１方向に送出する。
【００５２】
図４の画像形成装置１００も自動両面印刷用の記録媒体搬送経路を有しなるものである。両面印刷時には、給紙トレイ１０からピックアップされた記録媒体はその表面に画像を転写され、定着部６を通過した後、撮像部５０による撮像データによって検査部１３５はその表面の画像の検査を実施する。
【００５３】
検査の結果良品であれば、記録媒体は、第１搬送路切替部６４（ポジションｄ状態）を通過し、第２搬送路切替部６５（ポジションｄ状態）を通過するように搬送される。記録媒体Ｐの先端がａに達したときに逆向きに搬送され始める。記録媒体の後端が到達するまでに第２搬送路切替部６２がポジションｕをとり、破線の位置に移動し、記録媒体を破線で示される下向きの記録媒体搬送経路に導く。記録媒体はそのまま搬送され、再び画像形成部１の２次転写部５に導かれるが、今度はその裏面に画像の転写を受ける。記録媒体はそのまま搬送されて定着部６を再び通過して、撮像部５０による撮像データによって検査部１３５がその裏面の画像の検査が行われる。検査の結果が良品ならば、そのまま封緘器へと搬送される。
【００５４】
検査部１３５における検査結果が不合格の場合には、第１搬送路切替部６４を通過するまでに、第１搬送路切替部６４をｕポジションとする。記録媒体はポジションｕの第１搬送路切替部６４に導かれて下方への破線の記録媒体搬送経路へ進む。
【００５５】
記録媒体はそのまま搬送され、再び画像形成部２の２次転写部５に到達するが、記録媒体の表裏は反転されていないので、不良品画像の乗っている面に再び画像の転写を受ける。特に不良品画像中に個人情報など外部の人に見られては困る情報が含まれているときには、その部分に、その情報を印刷したのと同じ色の色材（トナーやインク）の塗りつぶし画像を印刷し、判読不能にする。
【００５６】
個人情報の部分を判定する方法としては、第２種データの画像部分を個人情報を含む部分として判定することができる。刷部ごとに異なる内容を含んでいる、第２種データの画像部分には個人情報が含まれると考えられるからである。この他ページ記述言語により個人情報と特定される部分を個人情報と判定することもできる。
【００５７】
なお、必要に応じて、第３搬送路切替部６６によって、良品画像の記録媒体を封緘部８０に送り、不良品画像の記録媒体を裁断部７０に送るようにしてもよい。
【００５８】
以上、種々の実施形態においては、第２種画像データの不良を検出する装置について説明したが、第１種画像データについての検出と組み合わせて、第１種画像データ、第２種画像データ両方の画像を同時に検出することもできる。
【００５９】
また、種々の実施形態について説明したが、それぞれの実施形態の構成を組み合わせて構成した発明も本発明の範疇に入るものである。
【００６０】
以上、本発明の画像形成装置及び画像形成装置の制御方法によれば、バリアブル印刷における不良印刷を適切に処理することができ、個人情報が含まれる印刷文書を確認する手間や労力、コストを削減することができる。
【図面の簡単な説明】
【００６１】
【図１】バリアブル印刷を行う画像形成装置を構成する主要構成要素を示した図である。
【図２】バリアブル印刷及び判定処理を実行するためのブロック構成を示す図である。
【図３】本発明の他の実施形態に係る画像形成装置の構成例を示す図である。
【図４】本発明の他の実施形態に係る画像形成装置の構成例を示す図である。
【符号の説明】
【００６２】
１・・・画像形成部、２・・・給紙部、３・・・一次転写部、４・・・プロセスカートリッジ、５・・・２次転写部、６・・・定着部、１０・・・給紙トレイ、１１・・・記録媒体、５０・・・撮像部、６０〜６６・・・搬送路切替部、７０・・・裁断部、８０・・・封緘部、８１・・・封筒受けトレイ、１００・・・画像形成装置、１０１・・・第１種データ記憶部、１０２・・・第２種データ記憶部、１１０・・・第１展開部、１１５・・・ページメモリ、１２０・・・第２展開部、１２５・・・位置情報・比較情報記憶部、１３０・・・撮像データ、１３５・・・検査部、１５０・・・不良印刷処理部
【図１】
2009232006.tif 000003
【図２】
2009232006.tif 000004
【図３】
2009232006.tif 000005
【図４】
2009232006.tif 000006